(57)【要約】【目的】空気調和機の能力を維持したままコンパクト化ができる室外機の構造に関する。【構成】圧縮機１で圧縮されて高温となったガス状冷媒をコンデンサ２で液化し、液状の冷媒をキャピラリ３を介してエバポレータ４に送り、エバポレータ４で気化した冷媒が圧縮機１に戻される冷凍サイクルを構成する。室外機Ａの圧縮機１とコンデンサ２との間に仕切板７を設け、圧縮機１側の側壁１０ａと仕切板７との間に取付板１１を設け、該取付板１１の上面には高さ寸法の短い電装部品８を配置した制御基板９ａを、下面には高さ寸法の長い電装部品８を配置した制御基板９ｂを取付け、制御基板９ｂの電装部品８を下方に向けて配置して圧縮機１の上方のスペースに収納することで、制御基板９ａの電装部品８の上端位置を低くすることができ、室外送風機６やコンデンサ２を小さくすることなく室外機Ａのコンパクト化ができる。【選択図】　　　　　図１
2004085143.tif 000002
【特許請求の範囲】
【請求項１】
ガス状の冷媒を圧縮して高温高圧の冷媒にする圧縮機１と、高温高圧の冷媒ガスの熱を放熱して液状の冷媒にするコンデンサ２と、キャピラリ３を介して送られる液状の冷媒を気化してガス状の冷媒にするエバポレータ４とを備え、
前記圧縮機１とコンデンサ２とキャピラリ３とエバポレータ４とを接続して冷媒を循環させる冷媒配管５を設けて冷凍サイクルを構成し、圧縮機１とコンデンサ２とキャピラリ３とを室外機Ａ内に配置し、コンデンサ２付近にはコンデンサ２を通過する空気流を作り出す室外送風機６を設け、
かつ、圧縮機１とコンデンサ２との間には仕切板７を設け、該仕切板７の上方には電装部品８を搭載した制御基板９を備える空気調和機の室外機において、
仕切板７と圧縮機１側の室外機Ａの枠体１０を構成する側壁１０ａとの間に制御基板９の取付板１１を設け、
かつ、前記制御基板９は取付板１１の上面、下面に取付けた制御基板９ａ・９ｂで構成し、取付板１１の上面に取付けた制御基板９ａには高さ寸法の短い電装部品８を上方に向けて配置し、取付板１１の下面に取付けた制御基板９ｂには高さ寸法の長い電装部品８を下方に向けて配置し、
かつ、前記取付板１１のコンデンサ２側の端部には送風流路６ａにのぞませてヒートシンク１２を取付けたことを特徴とする空気調和機の室外機の構造。
【請求項２】
前記ヒートシンク１２はＬ字形に形成し、水平部１２ａを取付板１１のコンデンサ２側の端部に接続し、垂直部１２ｂを室外機Ａの天板１０ｂに向けて配置したことを特徴とする請求項１記載の空気調和機の室外機の構造。
【請求項３】
前記取付板１１の上面に取付けた制御基板９ａには低い電圧及び低い電流が印加された電装部品８を配置し、取付板１１の下面に取付けた制御基板９ｂには高い電圧及び高い電流が印加された電装部品８を配置したことを特徴とする請求項１記載の空気調和機の室外機の構造。
【発明の詳細な説明】
【０００１】
【産業上の利用分野】
この発明は冷凍サイクルを利用し室内の空気調和を行なうセパレートタイプの空気調和機の室外機の構造に関するものである。
【０００２】
【従来の技術】
圧縮機で高温高圧となったガス状の冷媒をコンデンサに送り、コンデンサで高温高圧の冷媒ガスを放熱させて液状の冷媒にすると共に、液化した冷媒はキャピラリを介してエバポレータに送り、冷媒が気化する時にエバポレータを通過する空気を冷却し、その後、ガス状になった冷媒は圧縮機に戻り、再び高温高圧の冷媒となってコンデンサに送られる冷凍サイクルを備えた空気調和機が知られている。
【０００３】
このような冷凍サイクルを構成する空気調和機には圧縮機とコンデンサとキャピラリとを室外機に配置し、室内機にはエバポレータを配置して、室内機と室外機とを冷媒配管で接続したセパレートタイプの空気調和機がある。
【０００４】
室外機にはコンデンサを通過する空気流を作り出す室外送風機が配置され、室外送風機を運転すると室外空気がコンデンサを通過し、高温高圧の冷媒が冷却されて液化し、コンデンサを通過した室外空気は室外機の前面から高温となって吹出している。そして、室外機に配置されたコンデンサと圧縮機との間には仕切板が設けてあり、室外送風機の風を効率よくコンデンサに当てることができるようにしている。
【０００５】
また、室外機には空気調和機の運転を制御する制御基板や電装部品が配置してあるが、屋外に設置された室外機では室外送風機が室外空気を吸込むときに水や埃を一緒に吸込むことは避けられず、室外機内に浸入した水や埃が電装部品にかかると故障の原因となり、更に水や埃は室外機の底板に溜まることがあるから、制御基板や電装部品をケースに収納して仕切板の上部の天板付近に配置し、水や埃から守られた構造となっている。
【０００６】
また、電装部品の中には発熱量の大きなものがあるから、ケース内が高温にならないように、これらの電装部品を冷却する必要がある。この為、送風流路にのぞませてヒートシンクを取付け、ヒートシンクには発熱量の大きい電装部品を配置し、ヒートシンクに風をあてて冷却することで放熱して温度を下げている。
【０００７】
ところで、最近では室外機をベランダ等の狭い場所に設置する機会が増えており、室外機の設置スペースの確保が難しくなってきている為、コンパクトな室外機の要求があるが、コンパクト化に合わせてコンデンサや室外送風機を小さくすると空気調和機の能力が低下してしまうから、コンパクトな室外機でも能力のある空気調和機の開発が課題となっている。
【０００８】
しかし、従来では１枚の制御基板に全ての電装部品を配置していた為に制御基板が大きくなってしまい、制御基板を収納するケースの横幅寸法も長くなるから、ケースが圧縮機と室外送風機の上方に位置しなければならなかった。この為、室外送風機と天板との間にはケースの高さ分だけ間隔を空けて、ケースが室外送風機と干渉しないように配置する必要があるが、ケースの高さは一番大きな電装部品を基準に設計される為、ケースの高さ寸法が長くなっており、室外機の高さ方向のコンパクト化の妨げとなるから、室外機のコンパクト化を図る為にはケースを小型化する工夫が必要となる。
【０００９】
この対策として、室外送風機の上方を避けるように室外送風機の両側のスペースに制御基板を分けて配置し、ケースの底板を室外送風機に沿って折り曲げた形状にすることで、室外送風機上方のケースの高さ寸法が短くなり、ケースの取付位置を低くすることができたから、室外機天板と室外送風機の間隔を短くして室外機の高さ方向のコンパクト化を図ることができるものとなった。
【００１０】
【発明が解決しようとする課題】
しかし、上記構造では、制御基板が室外送風機の両側の離れた位置に配置される為に配置効率が悪く、また、制御基板や電装部品が取付けられるケースの底板はある程度の強度を必要とする為に板厚が厚くなっており、ケースの底板を複雑な形状に折り曲げるには加工に手間がかかってしまいコストアップにつながるものであった。
【００１１】
また、ヒートシンクに配置された電装部品を効率よく冷却する為にはヒートシンクが大きいほうが有利であるが、室外機のコンパクト化を進めた結果、枠体や室外送風機とケースとのスペースが狭くなっており、ヒートシンクを大きくするだけの充分なスペースを確保できなくなっていた。
【００１２】
また、ケース内に収納された電装部品には高い電圧や電流が印加された電装部品があり、全ての電装部品をケース内に収納した構造では空気調和機のメンテナンスを行う際に作業者が誤って高い電圧・電流が印加された電装部品に触れると感電する恐れがあり、非常に危険であった。
【００１３】
【課題を解決するための手段】
この発明は上記課題を解決するもので、ガス状の冷媒を圧縮して高温高圧の冷媒にする圧縮機１と、高温高圧の冷媒ガスの熱を放熱して液状の冷媒にするコンデンサ２と、キャピラリ３を介して送られる液状の冷媒を気化してガス状の冷媒にするエバポレータ４とを備え、前記圧縮機１とコンデンサ２とキャピラリ３とエバポレータ４とを接続して冷媒を循環させる冷媒配管５を設けて冷凍サイクルを構成し、圧縮機１とコンデンサ２とキャピラリ３とを室外機Ａ内に配置し、コンデンサ２付近にはコンデンサ２を通過する空気流を作り出す室外送風機６を設け、かつ、圧縮機１とコンデンサ２との間には仕切板７を設け、該仕切板７の上方には電装部品８を搭載した制御基板９を備える空気調和機の室外機において、仕切板７と圧縮機１側の室外機Ａの枠体１０を構成する側壁１０ａとの間に制御基板９の取付板１１を設け、かつ、前記制御基板９は取付板１１の上面、下面に取付けた制御基板９ａ・９ｂで構成し、取付板１１の上面に取付けた制御基板９ａには高さ寸法の短い電装部品８を上方に向けて配置し、取付板１１の下面に取付けた制御基板９ｂには高さ寸法の長い電装部品８を下方に向けて配置し、かつ、前記取付板１１のコンデンサ２側の端部には送風流路６ａにのぞませてヒートシンク１２を取付けたものである。
【００１４】
また、ヒートシンク１２はＬ字形に形成し、水平部１２ａを取付板１１のコンデンサ２側の端部に接続し、垂直部１２ｂを室外機Ａの天板１０ｂに向けて配置したものであり、室外送風機６によって吸込まれた水や埃はヒートシンク１２と仕切板７によって遮られ、取付板１１を配置した圧縮機１側に向かうことはないものである。
【００１５】
また、取付板１１の上面に取付けた制御基板９ａには低い電圧及び低い電流が印加された電装部品８を配置し、取付板１１の下面に取付けた制御基板９ｂには高い電圧及び高い電流が印加された電装部品８を配置したから、高い電圧及び高い電流が印加された電装部品８に触れることなくメンテナンス作業ができ、安全性が向上したものである。
【００１６】
【作用】
この発明では、取付板１１の上面に制御基板９ａを取付け、下面に制御基板９ｂを取付けることで、取付板１１の横幅寸法を短くできたもので、制御基板９ａ・９ｂを上下に取付けた取付板１１を圧縮機１側に寄せて配置することができたから、電装部品８や制御基板９を室外送風機６の上方に位置させることなく取付けることができた。
【００１７】
そして、取付板１１の上面に位置する制御基板９ａには高さ寸法の短い電装部品８を上向きに配置し、下面に位置する制御基板９ｂには高さ寸法の長い電装部品８を下向きに配置し、制御基板９ｂに取付けた高さ寸法の長い電装部品８と圧縮機１との隙間がなくなるように取付けることで取付板１１を低い位置に取付けることができるから、室外機Ａの枠体の高さを短くすることができた。
【００１８】
また、ヒートシンク１２は取付板１１のコンデンサ２側の端部から送風流路６ａにのぞませて取付けたから、電装部品８の数や大きさが変わっても取付板１１の形状を変更することなくヒートシンク１２の形状や大きさを変更することができ、ヒートシンク１２をＬ字形に形成することで電装部品８を水平部１２ａと垂直部１２ｂに設置できるから、電装部品８の設置面積と放熱面積を拡大することができた。
【００１９】
そして、ヒートシンク１２は水平部１２ａを取付板１１の仕切板７側の端部に接続し、垂直部１２ｂを上板１３に接続したから、室外送風機６によって室外空気と一緒に吸込まれた水や埃は仕切板７とヒートシンク１２で遮られ、圧縮機１側に配置した制御基板９ａ・９ｂには水や埃がかかることはない。
【００２０】
更に、取付板１１の上面に取付けた制御基板９ａには低い電圧及び低い電流が印加された電装部品８を配置し、下面に取付けた制御基板９ｂには高い電圧及び高い電流が印加された電装部品８を配置したから、空気調和機のメンテナンス時に作業者が誤って高い電圧及び高い電流が印加された電装部品８に触れることはないものとなった。
【００２１】
【実施例】
実施例を示す図によってこの構成を説明すると、１はガス状の冷媒を加圧する圧縮機、２は圧縮後の高温高圧の冷媒ガスと室外空気とを熱交換するコンデンサであり、ガス状の冷媒は放熱冷却して液状の冷媒となる。３は液状の冷媒を通過させる細管で構成したキャピラリ、４はキャピラリ３を通過した液状冷媒が送られるエバポレータであり、液状の冷媒はエバポレータ４内で気化し、エバポレータ４を通過する空気を冷却することでガス状の冷媒となり圧縮機１へ戻り、再び加圧されて高温高圧となってコンデンサ２に送られる。
【００２２】
５は圧縮機１とコンデンサ２とキャピラリ３とエバポレータ４とを接続する冷媒配管であり、冷媒が冷媒配管５内を循環することで冷凍サイクルを構成している。図に示す実施例はセパレートタイプの空気調和機に係るものであって、Ａは室外機、Ｂは室内機であり、圧縮機１とコンデンサ２とキャピラリ３は室外機Ａ内に配置され、エバポレータ４は室内機Ｂ内に配置される。
【００２３】
１４は室内機Ｂに内装した室内送風機、１５は室内機Ｂの正面に設けられた空気取入口、１６は室内機Ｂの正面の下側に形成される空気吹出口であり、空気取入口１５より室内機Ｂに取り込まれた空気はエバポレータ４によって冷却され室内機Ｂの下側に形成した空気吹出口１６より冷風となって室内に吹出すものである。
【００２４】
１０は室外機Ａの枠体、１７は室外機Ａの前面に設けた空気吹出口、１８は室外機Ａの背面に設けた空気吸込口、６はコンデンサ２と空気吹出口１７との間に設けた室外送風機であり、室外送風機６を運転すると室外空気はコンデンサ２を通過し、この時、圧縮されて高温高圧となった冷媒は室外空気との間で熱交換が行われ液化し、一方、室外空気は高温となり空気吹出口１７から吹出すものである。
【００２５】
１０ａは室外機Ａの側壁、１０ｂは室外機Ａの天板、７は圧縮機１とコンデンサ２との間に設けた仕切板、６ａは室外機Ａの前面の空気吹出口１７と背面の空気吸込口１８とを連通する送風流路であり、仕切板７は室外機Ａの底板から立設して送風流路６ａの側壁を形成しており、室外送風機６によって送風流路６ａに吸込まれた室外空気は圧縮機１側に向かうことなくコンデンサ２を通過することで、効率良く熱交換できる構造となっている。
【００２６】
９は室外機Ａ内に取付けた制御基板、８は制御基板９に配置したコイルやキャパシタなどの電装部品であり、圧縮機１や室外送風機６や室内送風機１４に働きかけて空気調和機の運転を制御するコントローラを構成している。
【００２７】
上記の構造では室外送風機６が室外空気と一緒に吸込んだ水や埃によって電装部品８や制御基板９が故障する恐れがある為、電装部品８や制御基板９を水や埃から守る構造が必要であった。従来例を示す図３において、１９は制御基板９を収納するケースであり、ケース１９によって電装部品８や制御基板９に水や埃がかからないようにしている。また、室外機Ａの側壁１０ａや仕切板７やコンデンサ２に付着した水は底板に流れ、室外機Ａの底板に設けた排水孔から排出しているが、排水孔にゴミが詰まると底板に水が溜まってしまうから、ケース１９は仕切板７の上部に載置して天板１０ｂ付近に配置されている。
【００２８】
また、電装部品８の中には発熱量の大きいものがあり、空気調和機の運転中に電装部品８の発熱によってケース１９内が高温になると制御基板９の故障の原因となる。１２はケース１９の一部を開口して送風流路６ａにのぞませて取付けたヒートシンクであり、ヒートシンク１２の上に発熱量の大きい電装部品８を配置し、室外送風機６の風でヒートシンク１２を冷却することで電装部品８の温度を下げている。
【００２９】
ところで、最近では室外機の設置スペースの確保が難しくなっており、高出力であってもコンパクトな枠体形状の室外機の要求があるが、室外送風機６と天板１０ｂとの間にはケース１９を取付ける為のスペースが必要であり、コンデンサ２や室外送風機６の大きさを変えずに室外機Ａのコンパクト化を図ろうとするとケース１９が邪魔になり、コンパクト化の妨げとなるものであった。
【００３０】
この対策として従来では、ケース１９内に収納された制御基板９を室外送風機６の両側に分けて配置し、室外送風機６の上方でケース１９の高さが短くなるよう、ケース１９の底板１９ａを室外送風機６に沿って折り曲げた形状にしており、このような構造にすることでケース１９の取付け位置を低くできたから、室外送風機６と天板１０ｂとの間隔が短くなって室外機Ａの高さ方向のコンパクト化が可能となった。
【００３１】
しかし、制御基板９の重量がかかるケース１９の底板１９ａはある程度の強度が必要となる為に板厚が厚くなり、上記のように底板１９ａを複雑な形状に折り曲げた構造では加工に手間がかかってしまう。また、制御基板９が室外送風機６の両側の離れた位置に配置されている為に配置効率が悪く、制御基板９のない室外送風機６の上方のケース１９内には無駄なスペースが生じやすく、コストアップにつながっていた。
【００３２】
また、電装部品８を効率良く冷却する為にはヒートシンク１２は大きい方が有利であるが、室外機Ａのコンパクト化を進めると室外送風機６とケース１９との間隔が狭くなるから、ヒートシンク１２の取付けスペースも限られてしまい、ヒートシンク１２の形状や大きさを変更することは難しく、十分な放熱面積を確保することができなくなっていた。
【００３３】
この発明は上記の課題を解決するもので、１１は制御基板９を室外機Ａに固定する為の取付板、９ａは取付板１１の上面に取付けた制御基板、９ｂは取付板１１の下面に取付けた制御基板であり、取付板１１の上面に取付けられた制御基板９ａには高さ寸法の短い電装部品８が上方に向けて配置され、下面に取付けられた制御基板９ｂには高さ寸法の長い電装部品８が下方に向けて配置されている。
【００３４】
上記のように制御基板９ａ・９ｂを上下に配置することで取付板１１の横方向の寸法が短くなるから、取付板１１は圧縮機１の上方に配置して室外機Ａの圧縮機１側の側壁１０ａと仕切板７との間に取付けることができる。また、送風流路６ａに吸込まれた水や埃は仕切板７によって遮られているから、電装部品８や制御基板９をケースに収納する構造としなくても水や埃がかかる心配はなくなり、取付板１１を平面状の簡単な形状で構成できるものである。
【００３５】
また、取付板１１の下方に位置する圧縮機１は室外送風機６より低い位置に取付けられており、室外送風機６より低い分だけ圧縮機１の上方にはスペースが広く空いているから、制御基板９ｂに取付けられた高さ寸法の長い電装部品８はこのスペースを使って収納することができる。即ち、圧縮機１及び冷媒配管５との隙間の広い部分には大きな電装部品８を、隙間の狭い部分にはそれよりも小さな電装部品８を配置し、圧縮機１及び冷媒配管５と制御基板９ｂとの隙間を無くすように電装部品８を配置した構造となっている。
【００３６】
そして、取付板１１の上面に取付けられた制御基板９ａにはその他の高さ寸法の短い電装部品８を配置しており、室外機Ａの天板１０ｂを電装部品８の上方の隙間が無くなるように配置することで、室外送風機６と天板１０ｂとの間隔が従来のケースに収納した構造よりも短くできたから、室外機Ａの高さ方向のコンパクト化が実現できるものとなった。
【００３７】
また、取付板１１を圧縮機１側に配置したことで室外送風機６側の空間を広く使えることができ、この空間にヒートシンク１２を送風経路６ａにのぞませて取付けたもので、電装部品８の大きさや数が変更されてヒートシンク１２の形状や大きさの変更が必要となったときでも、取付板１１の形状や大きさを変えることなくヒートシンク１２の形状や大きさの変更ができるものとなった。
【００３８】
この発明のヒートシンク１２は取付板１１とは反対側の端部を天板１０ｂに向けて配置してＬ字形に形成したものであり、発熱量の大きい電装部品８は水平部１２ａと垂直部１２ｂとに取付けることができ、電装部品８の設置面積が広くなったから、電装部品８の大きさや数が変更しても簡単に対応することができると共に、放熱面積も増えて電装部品８を効率よく冷却することができるものとなった。
【００３９】
また、ヒートシンク１２をＬ字形に形成したことで、仕切板７とヒートシンク１２によって送風流路６ａ側と圧縮機１側とを区画することができ、室外空気と一緒に吸込まれた水や埃は仕切板７とヒートシンク１２によって遮られるから、電装部品８や制御基板９を水や埃から守ることができるものとなった。
【００４０】
１３は制御基板９ａと天板１０ｂとの間に配置した上板であり、該上板１３は両端を室外機Ａの側壁に接続して固定しており、側壁１０ａと天板１０ｂの隙間から浸入した水が電装部品８や制御基板９にかからないようにしており、このときはヒートシンク１２の垂直部１２ｂの上端を上板１３に接続して固定すればよい。
【００４１】
一方、空気調和機の修理や点検が必要になったときは天板１０ｂを取外して作業を行うものであるが、制御基板９に配置された電装部品８には高い電圧や電流が印加されたものがあり、作業者がこれらの電装部品８に触れてしまうと感電する恐れがあり危険であった。
【００４２】
この発明では、取付板１１の上面側の制御基板９ａには低い電圧及び低い電流が印加された電装部品８を配置し、取付板１１の下面側の制御基板９ｂには高い電圧及び高い電流が印加された電装部品８を配置したから、空気調和機のメンテナンス時に作業者が誤って高い電圧や高い電流が印加された電装部品８に触れることはなく、メンテナンス時の安全性を向上することができた。
【００４３】
【発明の効果】
以上のようにこの発明では、取付板１１の上面・下面に制御基板９ａ・９ｂを取付けた構造としたから、取付板１１の横幅寸法が短くなり、電装部品８や制御基板９を圧縮機１側にまとめて配置することができ、従来より電装部品８や制御基板９の設置場所を格段に少なくできたものである。
【００４４】
また、取付板１１の上面の制御基板９ａには高さ寸法の短い電装部品８を上方に向けて配置し、下面の制御基板９ｂには高さ寸法の長い電装部品８を下方に向けて配置したから、高さ寸法の長い電装部品８を圧縮機１の上方のスペースを使って収納することによって、取付板１１の上方の高さを低くできたから、コンデンサ２や室外送風機６を小さくすることなく室外送風機６と室外機Ａの天板１０ｂとの間隔を短くすることができるようになった。
【００４５】
この為、空気調和機の能力を低下させることなく室外機Ａのコンパクト化が実現でき、ベランダ等の狭い場所でも能力の高い空気調和機を設置することができるようになった。
【００４６】
また、室外機Ａ内に浸入した水や埃は仕切板７によって遮られており、電装部品８や制御基板９にかかることはないから、電装部品８や制御基板９をケース１９に収納する必要はなくなった。この為、取付板１１の形状はケース１９に比べて簡単な形状で構成できたから、加工が容易にでき、安価に製造できるものとなった。
【００４７】
また、ヒートシンク１２は送風流路６ａにのぞませて取付板１１の仕切板７側の端部に接続したから、電装部品８の数や大きさが変更しても取付板１１の形状を簡単に変更することができ、大がかりな設計変更の必要がなくなってコストダウンにつながるものである。
【００４８】
また、ヒートシンク１２をＬ字形に形成し、水平部１２ａを取付板１１の仕切板７側の端部に接続し、垂直部１２ｂを天板１０ｂに接続した構造としたから、室外送風機６によって吸込まれた水や埃は仕切板７とヒートシンク１２によって遮られて電装部品８や制御基板９にかかることはなく、簡単な構造で電装部品８や制御基板９を水や埃から守ることができ、部品点数や組立て工程が減少して製造コストが低下できるものである。
【００４９】
更に、取付板１１の上面に取付けた制御基板９ａには低い電圧及び低い電流が印加された電装部品８を配置し、下面に取付けた制御基板９ｂには高い電圧及び高い電流が印加された電装部品８を配置したから、空気調和機のメンテナンス時に作業者が誤って高い電圧や高い電流が印加された電装部品８に触れてしまうことは無くなり、安全性の高い空気調和機を提供できるようになった。
【図面の簡単な説明】
【図１】本発明の実施構造を備えた空気調和機システムを表す断面図である。
【図２】本発明の実施例を示す空気調和機の要部断面図である。
【図３】従来例を示す空気調和機の断面図である。
【符号の説明】
１　　圧縮機
２　　コンデンサ
３　　キャピラリ
４　　エバポレータ
５　　冷媒配管
６　　室外送風機
７　　仕切板
８　　電装部品
９　　制御基板
９ａ　制御基板
９ｂ　制御基板
１０　　枠体
１０ａ　側壁
１０ｂ　天板
１１　　取付板
１２　　ヒートシンク
１２ａ　水平部
１２ｂ　垂直部
【図１】
2004085143.tif 000003
【図２】
2004085143.tif 000004
【図３】
2004085143.tif 000005